【手続補正書】
【提出日】平成29年3月8日(2017.3.8)
【手続補正１】
【補正対象書類名】特許請求の範囲
【補正対象項目名】請求項１
【補正方法】変更
【補正の内容】
【請求項１】
一端が開口されて他端側が他端側取付部に取付けられた筒状のアウタチューブと、
一端側が一端側取付部に取付けられて他端開口側が前記アウタチューブの一端開口を介して当該アウタチューブの内側に挿入された筒状のインナチューブと、
前記アウタチューブの一端開口近傍の内側に設けられて前記インナチューブの外周面との間をシールする第１のパッキンと、
前記インナチューブの内側に配置されて一端側が前記一端側取付部に取付けられた筒状の外側シリンダと、
前記外側シリンダの内側に配置されて一端側が前記一端側取付部に取付けられた筒状の内側シリンダと、
他端側が前記他端側取付部に取付けられて一端側が前記内側シリンダの他端開口を介して前記内側シリンダの内側に挿入されたロッドと、
前記ロッドを貫通させるための貫通孔を備えた環状柱体により構成され、外周面が前記外側シリンダの他端開口近傍の内周面及び前記内側シリンダの他端開口近傍の内周面に嵌まり込んで外周面と前記外側シリンダの他端開口近傍の内周面との間がガスケットによってシールされるとともに前記貫通孔の内周面と前記ロッドの外周面との間が第２のパッキンによってシールされるように取付けられたロッドガイドと、
前記内側シリンダの内側に位置された前記ロッドの一端近傍に前記内側シリンダの内周面と摺動可能に設けられたピストンと、
前記ロッドガイドと前記ピストンと前記内側シリンダの内周面とで囲まれた内側シリンダ他端側液体溜室と、
前記内側シリンダの他端開口近傍の筒壁に形成されて前記内側シリンダの内側と前記外側シリンダの内側とに貫通する連通孔と、
前記アウタチューブと前記インナチューブの内側に収容された液体と、を備え、
前記一端側取付部と前記他端側取付部とが互いに近づく方向に移動する圧縮動作、及び、前記一端側付部と前記他端側取付部とが互いに離れる方向に移動する伸長動作が可能なように構成された伸縮装置と、
前記一端側取付部に取付けられて、前記一端側取付部に形成された第１の連通路を介して前記内側シリンダの内側におけるピストンよりも一端側に位置する内側シリンダ一端側液体溜室と連通された第１の出入口と、前記一端側取付部に形成された第２の連通路を介して前記内側シリンダの一端側の外周面と前記外側シリンダの一端側の内周面との間で形成されたシリンダ環状液体溜室と連通された第２の出入口と、第３の出入口と、液体が通過する際の流路抵抗により減衰力を発生する圧縮動作時流路及び伸長動作時流路と、を備え、
前記圧縮動作時においては、前記ピストンにより押圧されて前記内側シリンダ一端側液体溜室内から前記第１の出入口を介して流入した液体が前記圧縮動作時流路を通過する際の流路抵抗により減衰力を発生させて液体を前記第２の出入口を介して前記シリンダ環状液体溜室に流出させるとともに、前記伸長動作時においては、前記ピストンにより押圧されて前記内側シリンダ他端側液体溜室内から前記連通孔及び前記シリンダ環状液体溜室を経由して第２の出入口を介して流入した液体が前記伸長動作時流路を通過する際の流路抵抗により減衰力を発生させて液体を第１の出入口を介して前記内側シリンダ一端側液体溜室に流出させる減衰力発生装置と、
筒状のシリンダと、当該シリンダ内に当該シリンダの中心軸に沿った方向に移動可能に設けられたフリーピストンとを備え、前記シリンダの他端開口が密封され、前記シリンダの一端開口側が前記一端側取付部に取付けられて前記シリンダの一端開口側に形成された液体体積変動補償液体溜室が前記一端側取付部に形成された第３の連通路を介して前記減衰力発生装置の前記第３の出入口と連通されて、
前記圧縮動作時においては、前記減衰力発生装置から前記第３の出入口を介して前記液体体積変動補償液体溜室に流入する液体の圧力によって前記フリーピストンが他端側に移動し、かつ、伸長動作時においては、前記液体体積変動補償液体溜室内の液体が前記第３の出入口を介して前記減衰力発生装置に流出することにより前記フリーピストンが一端側に移動するように構成された補償装置と、を備えた懸架装置であって、
前記補償装置の前記液体体積変動補償液体溜室に形成された液体出口と、前記外側シリンダの一端側の外周面と前記インナチューブの一端側の内周面との間の外側環状液体溜室と前記液体出口とを連通させる液体排出路と、を備え、
前記補償装置は、前記液体体積変動補償液体溜室内の液体量が所定量を超えた場合には前記液体出口を開いて前記液体体積変動補償液体溜室と前記液体排出路とを連通させることにより前記液体体積変動補償液体溜室内の液体を前記液体出口及び前記液体排出路を介して前記外側環状液体溜室に流出させ、かつ、前記液体体積変動補償液体溜室内の液体量が所定量を超えない場合には前記液体出口を閉じて前記液体体積変動補償液体溜室と前記液体排出路とを遮断する開閉制御機構を備え、
前記外側シリンダの外側の液体が、前記ロッドの外周面と前記第２のパッキンとの間、前記内側シリンダの内側、前記連通孔、前記シリンダ環状液体溜室、前記減衰力発生装置を経由して前記補償装置の前記液体体積変動補償液体溜室内に入り込んで前記液体体積変動補償液体溜室内の液体量が所定量を超えた場合に、前記液体体積変動補償液体溜室内の液体が、前記液体出口、前記液体排出路、前記外側環状液体溜室を経由して前記外側シリンダの外側に戻るように構成されたことを特徴とする懸架装置。
【手続補正２】
【補正対象書類名】特許請求の範囲
【補正対象項目名】請求項５
【補正方法】変更
【補正の内容】
【請求項５】
前記他端側取付部が、前記伸縮装置の中心軸に沿って移動可能に構成された前記スプリングの長さを調整するためのアジャスタを備えたことを特徴とする請求項４に記載の懸架装置。
【手続補正３】
【補正対象書類名】明細書
【補正対象項目名】０００７
【補正方法】変更
【補正の内容】
【０００７】
請求項１記載の懸架装置は、一端が開口されて他端側が他端側取付部に取付けられた筒状のアウタチューブと、一端側が一端側取付部に取付けられて他端開口側が前記アウタチューブの一端開口を介して当該アウタチューブの内側に挿入された筒状のインナチューブと、前記アウタチューブの一端開口近傍の内側に設けられて前記インナチューブの外周面との間をシールする第１のパッキンと、前記インナチューブの内側に配置されて一端側が前記一端側取付部に取付けられた筒状の外側シリンダと、前記外側シリンダの内側に配置されて一端側が前記一端側取付部に取付けられた筒状の内側シリンダと、他端側が前記他端側取付部に取付けられて一端側が前記内側シリンダの他端開口を介して前記内側シリンダの内側に挿入されたロッドと、前記ロッドを貫通させるための貫通孔を備えた環状柱体により構成され、外周面が前記外側シリンダの他端開口近傍の内周面及び前記内側シリンダの他端開口近傍の内周面に嵌まり込んで外周面と前記外側シリンダの他端開口近傍の内周面との間がガスケットによってシールされるとともに前記貫通孔の内周面と前記ロッドの外周面との間が第２のパッキンによってシールされるように取付けられたロッドガイドと、前記内側シリンダの内側に位置された前記ロッドの一端近傍に前記内側シリンダの内周面と摺動可能に設けられたピストンと、前記ロッドガイドと前記ピストンと前記内側シリンダの内周面とで囲まれた内側シリンダ他端側液体溜室と、前記内側シリンダの他端開口近傍の筒壁に形成されて前記内側シリンダの内側と前記外側シリンダの内側とに貫通する連通孔と、前記アウタチューブと前記インナチューブの内側に収容された液体と、を備え、前記一端側取付部と前記他端側取付部とが互いに近づく方向に移動する圧縮動作、及び、前記一端側付部と前記他端側取付部とが互いに離れる方向に移動する伸長動作が可能なように構成された伸縮装置と、前記一端側取付部に取付けられて、前記一端側取付部に形成された第１の連通路を介して前記内側シリンダの内側におけるピストンよりも一端側に位置する内側シリンダ一端側液体溜室と連通された第１の出入口と、前記一端側取付部に形成された第２の連通路を介して前記内側シリンダの一端側の外周面と前記外側シリンダの一端側の内周面との間で形成されたシリンダ環状液体溜室と連通された第２の出入口と、第３の出入口と、液体が通過する際の流路抵抗により減衰力を発生する圧縮動作時流路及び伸長動作時流路と、を備え、前記圧縮動作時においては、前記ピストンにより押圧されて前記内側シリンダ一端側液体溜室内から前記第１の出入口を介して流入した液体が前記圧縮動作時流路を通過する際の流路抵抗により減衰力を発生させて液体を前記第２の出入口を介して前記シリンダ環状液体溜室に流出させるとともに、前記伸長動作時においては、前記ピストンにより押圧されて前記内側シリンダ他端側液体溜室内から前記連通孔及び前記シリンダ環状液体溜室を経由して第２の出入口を介して流入した液体が前記伸長動作時流路を通過する際の流路抵抗により減衰力を発生させて液体を第１の出入口を介して前記内側シリンダ一端側液体溜室に流出させる減衰力発生装置と、筒状のシリンダと、当該シリンダ内に当該シリンダの中心軸に沿った方向に移動可能に設けられたフリーピストンとを備え、前記シリンダの他端開口が密封され、前記シリンダの一端開口側が前記一端側取付部に取付けられて前記シリンダの一端開口側に形成された液体体積変動補償液体溜室が前記一端側取付部に形成された第３の連通路を介して前記減衰力発生装置の前記第３の出入口と連通されて、前記圧縮動作時においては、前記減衰力発生装置から前記第３の出入口を介して前記液体体積変動補償液体溜室に流入する液体の圧力によって前記フリーピストンが他端側に移動し、かつ、伸長動作時においては、前記液体体積変動補償液体溜室内の液体が前記第３の出入口を介して前記減衰力発生装置に流出することにより前記フリーピストンが一端側に移動するように構成された補償装置と、を備えた懸架装置であって、前記補償装置の前記液体体積変動補償液体溜室に形成された液体出口と、前記外側シリンダの一端側の外周面と前記インナチューブの一端側の内周面との間の外側環状液体溜室と前記液体出口とを連通させる液体排出路と、を備え、前記補償装置は、前記液体体積変動補償液体溜室内の液体量が所定量を超えた場合には前記液体出口を開いて前記液体体積変動補償液体溜室と前記液体排出路とを連通させることにより前記液体体積変動補償液体溜室内の液体を前記液体出口及び前記液体排出路を介して前記外側環状液体溜室に流出させ、かつ、前記液体体積変動補償液体溜室内の液体量が所定量を超えない場合には前記液体出口を閉じて前記液体体積変動補償液体溜室と前記液体排出路とを遮断する開閉制御機構を備え、前記外側シリンダの外側の液体が、前記ロッドの外周面と前記第２のパッキンとの間、前記内側シリンダの内側、前記連通孔、前記シリンダ環状液体溜室、前記減衰力発生装置を経由して前記補償装置の前記液体体積変動補償液体溜室内に入り込んで前記液体体積変動補償液体溜室内の液体量が所定量を超えた場合に、前記液体体積変動補償液体溜室内の液体が、前記液体出口、前記液体排出路、前記外側環状液体溜室を経由して前記外側シリンダの外側に戻るように構成されたことを特徴とする。
【手続補正４】
【補正対象書類名】明細書
【補正対象項目名】００１１
【補正方法】変更
【補正の内容】
【００１１】
請求項５記載の懸架装置は、前記他端側取付部が、前記伸縮装置の中心軸に沿って移動可能に構成された前記スプリングの長さを調整するためのアジャスタを備えたことを特徴とする。
【手続補正５】
【補正対象書類名】明細書
【補正対象項目名】００３４
【補正方法】変更
【補正の内容】
【００３４】
図３に示すように、ロッドガイド１４５は、外側シリンダ１５０の他端開口１５２の近傍及び内側シリンダ１６０の他端開口１６２の近傍に設けられている。
ロッドガイド１４５は、一端側の外周径寸法が内側シリンダ１６０の他端開口１６２側の内周面に嵌め込まれる寸法に形成され、他端側の外周径寸法が外側シリンダ１５０の他端開口１５２側の内周面に嵌め込まれる寸法に形成された段付き円柱、即ち、一端側が小径部１４１に形成され、他端側が大径部１４２に形成された段付き円柱体に、当該円柱体の中心軸に沿って延長して貫通する当該中心軸を中心軸とした貫通孔１４３を備えた構成である。
ロッドガイド１４５の大径部１４２の外周面１３８にはねじ部１３７が形成され、大径部１４２の外周面１３８の他端側にはガスケットとしてのＯリング１４６を装着するための環状装着溝が形成されている。
貫通孔１４３は、大径部１４２の中心軸を中心軸とした孔により形成された工具挿入孔１３５と、小径部１４１の中心軸を中心軸とした孔により形成された軸受孔１３６とにより構成される。このように、ロッドガイド１４５が工具挿入孔１３５を備えるので、ロッドガイド１４５の着脱が容易となる。
軸受孔１３６の一端側内周面には、ブッシュ１４８を装着するための環状装着溝が形成されており、当該環状装着溝よりも他端側の内周面には、第２のパッキンとしてのリップパッキン１４７を装着するための環状装着溝が形成されている。
Ｏリング１４６が環状装着溝に装着され、リップパッキン１４７が環状装着溝に装着され、ブッシュ１４８が環状装着溝に装着されたロッドガイド１４５のねじ部が外側シリンダ１５０の他端開口側の内周面に形成されたねじ部１４９に螺着されるように、工具挿入孔１３５に図外の工具を挿入してロッドガイド１４５を回転させることにより、ロッドガイド１４５の一端側外周面が内側シリンダ１６０の内周面と密着状態に嵌まり込み、ロッドガイド１４５が内側シリンダ１６０の他端開口近傍の内側及び外側シリンダ１５０の他端開口近傍の内側に取付けられる。ねじ部１３７とねじ部１４９とがロッドガイド１４５を内側シリンダ１６０の他端開口近傍の内側及び外側シリンダ１５０の他端開口近傍の内側に取付けるためのロッドガイド取付部を形成する。
【手続補正６】
【補正対象書類名】明細書
【補正対象項目名】００３５
【補正方法】変更
【補正の内容】
【００３５】
即ち、ロッドガイド１４５は、外側シリンダ１５０の他端開口１５２の近傍の内周面及び内側シリンダ１６０の他端開口１６２の近傍の内周面に嵌まり込んだ外周面１３８を有するとともにロッド２３０を貫通させるための貫通孔１４３を備えた環状柱体により構成されて、外周面１３８に形成された環状装着溝に装着されたガスケットとしてのＯリング１４６によって外周面１３８と外側シリンダ１５０の他端開口１５２近傍の内周面との間がシールされ、貫通孔１４３の内周面に形成された環状装着溝に装着された第２のパッキンとしてのリップパッキン１４７によって貫通孔１４３の内周面とロッド２３０の外周面との間がシールされるように、ロッドガイド取付部によって、外側シリンダ１５０の他端開口１５２の近傍の内周面及び内側シリンダ１６０の他端開口１６２の近傍の内周面に取付けられている。
【手続補正７】
【補正対象書類名】明細書
【補正対象項目名】００５３
【補正方法】変更
【補正の内容】
【００５３】
また、フリーピストン１１の外周面に形成された環状装着溝に装着されたＯリング４１によって内シリンダ１３の一端側内周面とフリーピストン１１の外周面との間がシールされ、補償装置取付穴１０３の内周面に形成された環状装着溝に装着されたＯリング４２によって外シリンダ１２の一端側外周面と補償装置取付穴１０３の壁との間がシールされている。
また、フリーピストン１１の延長方向中央側の外周面に形成された環状装着溝に装着されたパッキン４３によってフリーピストン１１の外周面と内シリンダ１３の内周面との間がシールされていることで、気体室３３と油出口２６との連通が遮断されている。
さらに、内シリンダ１３の他端側の外周面に形成された環状装着溝に装着されたＯリング４４によって当該内シリンダ１３の他端側の外周面と外シリンダ１２の内周面との間がシールされていることで、気体室３３と補償装置側路２５との連通が遮断されている。
【手続補正８】
【補正対象書類名】明細書
【補正対象項目名】００５６
【補正方法】変更
【補正の内容】
【００５６】
当該フロントフォークの伸長動作時においては、圧縮動作時に圧縮されていたスプリング３００が元の長さに戻ろうとすることで、図６（ｂ）に示すように、アウタチューブ２１０は、インナチューブ１１０に対し相対的に上方向に移動する。このときロッド２３０もアウタチューブ２１０とともに上方向に移動し、ピストン２２０も上方向に移動することによって、内側シリンダ他端側油溜室５２内の油の圧力が上昇し、内側シリンダ他端側油溜室５２の油は、連通孔１６３、シリンダ環状油溜室５３、第２の連通路１３２、第２の出入口７２を介して伸側室７０ｙに流入する。
そして、図８において矢印で示すように、伸側室７０ｙに流入した油は、貫通孔７０ｇに流入し、伸側減衰バルブ７０ｈを押し開いて中間室７０ｉに流入する。この伸側減衰バルブ７０ｈによる油の流れを遮る抵抗により減衰力が発生する。即ち、油が通過する際の流路抵抗により減衰力を発生する伸長動作時流路が伸側減衰バルブ７０ｈを介した流路により構成される。
また、伸側室７０ｙに流入した油は、孔９３、貫通孔８０ｂを経由して中間室７０ｉに流入する。
貫通孔７０ｇを介して中間室７０ｉに流入した油と、貫通孔８０ｂを介して中間室７０ｉに流入した油と、補償装置４の油体積変動補償油溜室２８から第３の連通路１３３を介して中間室７０ｉに流入した油とが合流し、当該合流した油が、中間室７０ｉから貫通孔７０ｍに流入してチェック弁９１ａを押し開いて、圧側室７０ｘに流入する。そして、圧側室７０ｘに流入した油が、第１の出入口７１及び第１の連通路１３１を経由して内側シリンダ一端側油溜室５１に流れる。
【手続補正９】
【補正対象書類名】図面
【補正対象項目名】図３
【補正方法】変更
【補正の内容】
【図３】
2016164444.tif 000001